(57)【要約】【課題】国または地域に見合ったサービスを利用し得るネットワーク電話システムを提供する。【解決手段】ＩＰ電話端末ＩＰＴ２は、複数の国・地域の中から１つの国・地域を選択して予めＩＰ電話主装置ＢＴに登録する。ＩＰ電話主装置ＩＰＴ２から発信等のサービス要求が発行された場合、ＩＰ電話主装置ＢＴは、ＩＰＴ２が先に登録した国・地域情報をもとに、その国・地域に見合ったサービスを提供する。【選択図】      図１
2005167424.tif 000002
【特許請求の範囲】
【請求項１】
特定の国・地域にそれぞれ配置される複数の電話端末と、これら複数の電話端末を接続し、音声パケットを伝送するパケット通信ネットワークと、このパケット通信ネットワークに接続され、前記電話端末間の交換処理を行う主装置とを具備し、
前記複数の電話端末の各々は、
互いに異なる複数の国・地域の中から任意の国・地域を選択する選択手段と、
この選択した国・地域情報を自端末の端末識別情報とともに前記主装置に通知する通知手段とを備え、
前記主装置は、
前記端末識別情報に対応付けて、前記電話端末が属する国・地域情報を記憶する記憶手段と、
前記電話端末からパケット通信ネットワークを介して到来した識別情報に対応する国・地域情報を記憶手段から読み出す読み出し手段と、
前記読み出し結果に応じたサービスを通知元の電話端末に提供するサービス提供手段とを備えたことを特徴とするネットワーク電話システム。
【請求項２】
前記サービス提供手段は、通知元の電話端末に対し、選択した国・地域に対応する時刻情報の表示、選択した国・地域に対応する緊急番号の取り扱い、選択した国・地域に対応する符号化則による音声信号処理、選択した国・地域に対応する音声認識処理、選択した国・地域に対応する情報表示、国際発信の取り扱いの少なくとも１つを実行することを特徴とする請求項１記載のネットワーク電話システム。
【請求項３】
特定の国・地域にそれぞれ配置され、前記パケット通信ネットワークと音声信号を伝送するための通信ネットワークとを接続し、音声パケットから音声信号に変換するとともに、音声信号から音声パケットに変換する複数の通信装置をさらに具備し、
前記主装置は、通信装置に割り当てられた装置識別情報に対応付けて、前記通信装置が属する国・地域情報を記憶する第２の記憶手段と、
前記電話端末から国・地域を指定した前記通信ネットワークの外部端末への接続要求が到来した場合に、要求元の電話端末を前記パケット通信ネットワーク、指定した国・地域に属する通信装置及び前記通信ネットワークを経由して接続する接続手段とをさらに備えたことを特徴とする請求項１記載のネットワーク電話システム。
【請求項４】
前記主装置は、国・地域に属する複数の電話端末のうちの少なくとも１つの電話端末を、他の国・地域情報に対応付けて管理する管理手段を備えることを特徴とする請求項１記載のネットワーク電話システム。
【請求項５】
前記主装置が複数ある場合に、これら複数の主装置と前記複数の電話端末との対応関係を表すデータを記憶するデータ記憶手段をさらに具備したことを特徴とする請求項１記載のネットワーク電話システム。
【請求項６】
特定の国・地域にそれぞれ配置される複数の電話端末と、これら複数の電話端末を接続し、音声パケットを伝送するパケット通信ネットワークと、このパケット通信ネットワークに接続され、前記電話端末間の交換処理を行う主装置とを備えたネットワーク電話システムで使用される主装置であって、
前記電話端末を示す端末識別情報に対応付けて、前記電話端末が属する国・地域情報を記憶する記憶手段と、
前記電話端末からパケット通信ネットワークを介して到来した端末識別情報に対応する国・地域情報を記憶手段から読み出す読み出し手段と、
前記読み出し結果に応じたサービスを通知元の電話端末に提供するサービス提供手段とを備えたことを特徴とするネットワーク電話システムの主装置。
【請求項７】
特定の国・地域にそれぞれ配置される複数の電話端末と、これら複数の電話端末を接続し、音声パケットを伝送するパケット通信ネットワークと、このパケット通信ネットワークに接続され、前記電話端末間の交換処理を行う主装置とを備えたネットワーク電話システムで使用される電話端末であって、
互いに異なる複数の国・地域の中から任意の国・地域を選択する選択手段と、
この選択した国・地域情報を自端末の端末識別情報とともに前記主装置に通知する通知手段とを備えたことを特徴とするネットワーク電話システムの電話端末。
【発明の詳細な説明】
【技術分野】
【０００１】
この発明は、各国・地域にそれぞれ配置されたＩＰ（Internet Protocol）電話端末をパケット通信網を介して接続し、ＩＰ電話端末間の通信を行うネットワーク電話システム、及びネットワーク電話システムの主装置及び電話端末に関する。
【背景技術】
【０００２】
近年、パケット通信網を介して、双方向に画像や音声をパケットデータとして、リアルタイムに送受信するネットワーク電話システム（ＩＰ電話システム）が普及し始めている。このＩＰ電話システムでは、パケット網に接続されるＩＰ電話端末間で音声通信を行うことができるとともに、ＩＰ電話端末と公衆網に接続される電話端末との間で音声通信を行えることは勿論のこと、パケット通信網を介して国・地域を跨った音声通信を行うことができる。
【０００３】
ところが、上記ＩＰ電話システムでは、ＩＰ電話端末の表示器に主装置側で設定した時刻情報が表示されていた。しかし、遠隔配置の形態では、ＩＰ電話端末と主装置との間に時間差が発生するため、その国・地域に適した時刻表示が強く要求されている。
【０００４】
そこで、国または地域を跨る通話を行うＩＰ電話端末間で、時間差を解消して通話先の時刻情報に合わせる方法が提案されている（例えば特許文献１及び特許文献２）。
【特許文献１】特開２００２−８４３７１公報
【特許文献２】特開２００２−９４７０２公報。
【発明の開示】
【発明が解決しようとする課題】
【０００５】
ところが、上記方法では、国または地域を跨る通話を行っている間だけ、通話相手先の時刻情報が通話元に表示されるだけであり、それ以外は通話元の国または地域に属する時刻情報が表示されるだけである。このため、例えば米国の出張者が日本に一時滞在し、日本のＩＰ電話端末にて米国に電話をかける場合に、通話状態にならないと米国の標準時刻が分からないので非常に不便である。
【０００６】
また、主装置と異なる国に設置されたＩＰ電話端末から緊急発信を行った際に、主装置側の国の緊急番号と解釈され、問題が生じることになる。
【０００７】
そこで、この発明の目的は、国または地域に見合ったサービスを利用し得るネットワーク電話システム、及びネットワーク電話システムの主装置及び電話端末を提供することにある。
【課題を解決するための手段】
【０００８】
この発明は、上記目的を達成するために、以下のように構成される。  
特定の国・地域にそれぞれ配置される複数の電話端末と、これら複数の電話端末を接続し、音声パケットを伝送するパケット通信ネットワークと、このパケット通信ネットワークに接続され、前記電話端末間の交換処理を行う主装置とを具備したネットワーク電話システムであって、複数の電話端末の各々は、互いに異なる複数の国・地域の中から任意の国・地域を選択する選択手段と、この選択した国・地域情報を自端末の端末識別情報とともに主装置に通知する通知手段とを備え、主装置は、端末識別情報に対応付けて、電話端末が属する国・地域情報を記憶する記憶手段と、電話端末からパケット通信ネットワークを介して到来した識別情報に対応する国・地域情報を記憶手段から読み出す読み出し手段と、読み出し結果に応じたサービスを通知元の電話端末に提供するサービス提供手段とを備えるようにしたものである。
【０００９】
この構成によれば、電話端末にて複数の国・地域の中から１つの国・地域を選択した場合に、この選択した国・地域情報が自己の端末識別情報とともに主装置に通知されることになる。そして、主装置では通知された端末識別情報及び国・地域情報をもとに通知元の電話端末が属する国・地域と選択した国・地域とが異なるか否かを判定する。異なる場合に選択した国・地域に見合ったサービスを提供するようにしている。このため、電話端末のユーザは、指定した国・地域に見合ったサービスを利用することができる。
【００１０】
特定の国・地域にそれぞれ配置され、パケット通信ネットワークと音声信号を伝送するための通信ネットワークとを接続し、音声パケットから音声信号に変換するとともに、音声信号から音声パケットに変換する複数の通信装置をさらに具備し、主装置は、通信装置に割り当てられた装置識別情報に対応付けて、通信装置が属する国・地域情報を記憶する第２の記憶手段と、電話端末から国・地域を指定した通信ネットワークの外部端末への接続要求が到来した場合に、要求元の電話端末をパケット通信ネットワーク、指定した国・地域に属する通信装置及び前記通信ネットワークを経由して接続する接続手段とをさらに備えたことを特徴とする。  
この構成によれば、電話端末にて国・地域を跨る音声通信を行う場合に、主装置により最低料金のルートが選択されるので、電話端末のユーザにとっては最低料金で最適なサービスを受けることができる。
【００１１】
主装置は、国・地域に属する複数の電話端末のうちの少なくとも１つの電話端末を、他の国・地域情報に対応付けて管理する管理手段を備えることを特徴とする。  
この構成によれば、例えば日本に配置されている複数の電話端末のうち１つの電話端末について米国向けのサービスを利用できるように主装置により管理しているので、この電話端末にて米国で利用するのと同様なサービスを利用することができる。
【００１２】
主装置が複数ある場合に、これら複数の主装置と前記複数の電話端末との対応関係を表すデータを記憶するデータ記憶手段をさらに具備したことを特徴とする。  
この構成によれば、複数の主装置と複数の電話端末とを対応付けているので、各電話端末ごとに発信する際の主装置を特定することができる。このため、各国・地域で１つのシステムを共用する場合に、主装置の処理負担を減らすことができるとともに、各電話端末にて利用するサービス等を明確化することができる。
【発明の効果】
【００１３】
以上詳述したようにこの発明によれば、国または地域に見合ったサービスを利用し得るネットワーク電話システム、及びネットワーク電話システムの主装置及び電話端末を提供することができる。
【発明を実施するための最良の形態】
【００１４】
以下、この発明の実施形態について図面を参照して詳細に説明する。  
（第１の実施形態）  
図１は、この発明の第１の実施形態に係わるＩＰ電話システムの概略構成図である。  
このＩＰ電話システムでは、ＩＰ電話端末ＩＰＴ１及びゲートウェイＧＷ１を英国に、ＩＰ電話端末ＩＰＴ２及びゲートウェイＧＷ２を米国西部地区に、ＩＰ電話端末ＩＰＴ３及びゲートウェイＧＷ３を米国東部地区にそれぞれ設置されているものとする。また、ＩＰ電話主装置ＢＴは米国西部地区に設置されているものとする。ＩＰ電話端末ＩＰＴ１，ＩＰＴ２，ＩＰＴ３ならびにゲートウェイＧＷ１，ＧＷ２，ＧＷ３はＩＰネットワークＩＰＮを経由して、ＩＰ電話主装置ＢＴに接続されている。
【００１５】
そして、ゲートウェイＧＷ１には、公衆網ＩＮＷ１と従来からの電話端末ＧＷＴ１が接続されている。ゲートウェイＧＷ２には公衆網ＩＮＷ２と電話端末ＧＷＴ２とが接続されている。ゲートウェイＧＷ３には公衆網ＩＮＷ２と電話端末ＧＷＴ３とが接続されている。
【００１６】
図２は、ＩＰ電話主装置ＢＴの機能構成を示すブロック図である。  
ＩＰ電話主装置ＢＴは、各ＩＰ電話端末ＩＰＴ１，ＩＰＴ２，ＩＰＴ３ならびにゲートウェイＧＷ１，ＧＷ２，ＧＷ３の交換接続機能に加えて、情報受信部１１と、サービス判定部１２と、サービス実行部１３とを備えている。
【００１７】
また、ＩＰ電話主装置ＢＴは、メモリＭを接続している。このメモリＭには、国・地域種別テーブル２１と、ＩＰ電話端末／国・地域対応テーブル２２と、ゲートウェイ／国・地域対応テーブル２３とが設けられている。
【００１８】
国・地域種別テーブル２１には、図３に示すように、国・地域ごとのサービス内容が格納されている。ここでは、例として標準時間(グリニッジ標準時)からの時間差、緊急番号、Ａ−Ｌａｗ／μ−Ｌａｗ種別、言語、国際電話での国コードを登録してある。
【００１９】
ＩＰ電話端末／国・地域対応テーブル２２には、図４に示すように、ＩＰ電話端末ＩＰＴ１，ＩＰＴ２，ＩＰＴ３の電話番号と国・地域との対応関係を表すデータが記憶されている。
【００２０】
ゲートウェイ／国・地域対応テーブル２３には、図５に示すように、ゲートウェイＧＷ１，ＧＷ２，ＧＷ３の識別番号と国・地域との対応関係を表すデータが記憶されている。
【００２１】
情報受信部１１は、例えばＩＰ電話端末ＩＰＴ１から送られてくる電話番号及び選択した国・地域情報を受信する。
【００２２】
サービス判定部１２は、送られてきた電話番号に対応する国・地域情報をＩＰ電話端末／国・地域対応テーブル２２から読み出し、この国・地域情報を基に、実行すべきサービス内容を決定する。
【００２３】
サービス実行部１３は、上記決定に基づいてＩＰ電話端末ＩＰＴ１に関連付けられた国・地域に合わせたサービスを実行する。このサービスとしては、図３に示す国・地域種別テーブル２１に基づいて、ＩＰ電話端末ＩＰＴ１に対し、選択した国・地域に対応する時刻情報の表示、選択した国・地域に対応する緊急番号の取り扱い、選択した国・地域に対応する符号化則による音声信号処理、選択した国・地域に対応する音声認識処理、国際発信の取り扱いの少なくとも１つを実行する。
【００２４】
次に、以上のように構成されたシステムの種々動作について説明する。  
図６は、時刻更新を行う際のＩＰ電話主装置ＢＴの処理動作を示すフローチャートである。  
ＩＰ電話主装置ＢＴは、ステップＳＴ６ａにおいて、定期的に全てのＩＰ電話端末ＩＰＴ１〜ＩＰＴ３の現在時刻表示を更新する（ステップＳＴ６ｂ）。更新する時刻情報を通知する際に、ＩＰ電話端末ＩＰＴ１〜ＩＰＴ３が存在することを確認するとともに（ステップＳＴ６ｃ）、ＩＰ電話主装置ＢＴは各ＩＰ電話端末ＩＰＴ１〜ＩＰＴ３の所属国・地域種別を読出し（ステップＳＴ６ｄ）、ＩＰ電話主装置ＢＴ自身の国・地域種別との相対時間差分を国・地域種別テーブル２１を参照することにより算出する（ステップＳＴ６ｅ）。
【００２５】
ＩＰ電話主装置ＢＴは、自身のローカル時刻にこの差分時刻をたし引きした結果を、各々のＩＰ電話端末ＩＰＴ１〜ＩＰＴ３に時刻情報として通知する（ステップＳＴ６ｆ）。例えば、ＩＰ電話主装置ＢＴのローカル時刻が１２：００であったとすると、ＩＰ電話端末ＩＰＴ３(米国東部所属)との時間差は−３：００(主装置側が３時間遅れている)であるので、ＩＰ電話端末ＩＰＴ３に対しては、時刻情報として１５：００を通知する。一方、ゲートウェイＧＷ１〜ＧＷ３に繋がる電話端末ＧＷＴ１〜ＧＷＴ３に関しては、接続するゲートウェイＧＷ１〜ＧＷ３の所属国・地域種別から同様に、全ての電話端末ＧＷＴ１〜ＧＷＴ３の現在時刻表示を更新する（ステップＳＴ６ｇ）。更新する時刻情報を通知する際に、電話端末ＧＷＴ１〜ＧＷＴ３が存在することを確認するとともに（ステップＳＴ６ｈ）、ＩＰ電話主装置ＢＴは各電話端末ＧＷＴ１〜ＧＷＴ３が接続されるゲートウェイＧＷ１〜ＧＷ３の所属国・地域種別を読出し（ステップＳＴ６ｉ）、ＩＰ電話主装置ＢＴ自身の国・地域種別との相対時間差分を国・地域種別テーブル２１を参照することにより算出する（ステップＳＴ６ｊ）。
【００２６】
ＩＰ電話主装置ＢＴは、自身のローカル時刻にこの差分時刻をたし引きした結果を、各々の電話端末ＧＷＴ１〜ＧＷＴ３に時刻情報として通知する（ステップＳＴ６ｋ）。
【００２７】
次に、上記システムにおける最適通話経路について説明する。  
図７は、各発信経路における接続動作を説明するためのシーケンス図である。
【００２８】
いま、米国西部地区に属するＩＰ電話端末ＩＰＴ２が、市内発信、米国東部地区への長距離発信、英国への国際発信を行うものとする。
【００２９】
図８は、ＩＰ電話端末ＩＰＴ２にて自動経路選択コードに続いて市内発信操作を行う際のＩＰ電話主装置ＢＴの処理動作を示すフローチャートである。
【００３０】
まず、ＩＰ電話端末ＩＰＴ２にて自動経路選択コードに続いて市内発信操作を行うと、ＩＰ電話主装置ＢＴは、ステップＳＴ８ａ乃至ステップＳＴ８ｃにより、ＩＰ電話端末ＩＰＴ２のダイヤル番号を解析して市内発信であると判定すると（ステップＳＴ８ｄ）、ＩＰ電話端末／国・地域対応テーブル２２からＩＰ電話端末ＩＰＴ２の所属する国・地域種別を読み出し（ステップＳＴ８ｅ）、続いて、ゲートウェイ／国・地域対応テーブル２３から、ＩＰ電話端末ＩＰＴ２と同じ国・地域に属するゲートウェイ装置番号を読み出す（ステップＳＴ８ｆ）。
【００３１】
そして、ＩＰ電話主装置ＢＴは、選択したゲートウェイＧＷ２が収容する公衆網回線から回線を選択・捕捉し（ステップＳＴ８ｇ）、発信ダイヤルを送出する（ステップＳＴ８ｈ及びステップＳＴ８ｉ）。
【００３２】
図９は、ＩＰ電話端末ＩＰＴ２にて自動経路選択コードに続いて長距離発信操作を行う際のＩＰ電話主装置ＢＴの処理動作を示すフローチャートである。
【００３３】
まず、ＩＰ電話端末ＩＰＴ２にて自動経路選択コードに続いて市外発信操作を行うと、ＩＰ電話主装置ＢＴは、ステップＳＴ９ａ乃至ステップＳＴ９ｃにより、ＩＰ電話端末ＩＰＴ２のダイヤル番号を解析して長距離発信であると判定すると（ステップＳＴ９ｄ）、市外局番より該市外局番地域が属する国・地域を決定する。
【００３４】
そして、ＩＰ電話主装置ＢＴは、ＩＰ電話端末／国・地域対応テーブル２２からＩＰ電話端末ＩＰＴ２の所属する国・地域種別を読み出し（ステップＳＴ９ｅ）、続いて、市外局番から決定した国・地域に属するゲートウェイ装置番号をゲートウェイ／国・地域対応テーブル２３から読み出す（ステップＳＴ９ｆ）。
【００３５】
続いて、ＩＰ電話主装置ＢＴは、選択したゲートウェイが収容する公衆網回線から回線を選択して捕捉し（ステップＳＴ９ｇ）、発信ダイヤルを送出する（ステップＳＴ９ｈ及びステップＳＴ９ｉ）。
【００３６】
図１０は、ＩＰ電話端末ＩＰＴ２にて自動経路選択コードに続いて国際発信操作を行う際のＩＰ電話主装置ＢＴの処理動作を示すフローチャートである。
【００３７】
まず、ＩＰ電話端末ＩＰＴ２にて自動経路選択コードに続いて国際発信操作を行うと、ＩＰ電話主装置ＢＴは、ステップＳＴ１０ａ乃至ステップＳＴ１０ｃにより、ＩＰ電話端末ＩＰＴ２のダイヤル番号を解析して国際発信であると判定すると（ステップＳＴ１０ｄ）、国コードより発信先の国・地域を決定する。
【００３８】
そして、ＩＰ電話主装置ＢＴは、ＩＰ電話端末／国・地域対応テーブル２２からＩＰ電話端末ＩＰＴ２の所属する国・地域種別を読み出し（ステップＳＴ１０ｅ）、続いて、国コードから決定した国・地域に属するゲートウェイ装置番号をゲートウェイ／国・地域対応テーブル２３から読み出す（ステップＳＴ１０ｆ）。
【００３９】
続いて、ＩＰ電話主装置ＢＴは、選択したゲートウェイが収容する公衆網回線から回線を選択して捕捉し（ステップＳＴ１０ｇ）、発信ダイヤルを送出する（ステップＳＴ１０ｈ及びステップＳＴ１０ｉ）。
【００４０】
図１１は、ＩＰ電話端末ＩＰＴ２にて緊急発信操作を行う際のＩＰ電話主装置ＢＴの処理動作を示すフローチャートである。
【００４１】
まず、ＩＰ電話端末ＩＰＴ２にて緊急発信操作を行うと、ＩＰ電話主装置ＢＴは、緊急発信コードを検出し（ステップＳＴ１１ａ）、ＩＰ電話端末／国・地域対応テーブル２２からＩＰ電話端末ＩＰＴ２の所属する国・地域種別を読み出し（ステップＳＴ１１ｂ）、続いて、上記ＩＰ電話端末ＩＰＴ２の属する国・地域種別と同じ国・地域に属するゲートウェイ装置番号をゲートウェイ／国・地域対応テーブル２３から読み出す（ステップＳＴ１１ｃ）。
【００４２】
続いて、ＩＰ電話主装置ＢＴは、選択したゲートウェイが収容する公衆網回線から回線を選択して捕捉し（ステップＳＴ１１ｄ）、国・地域種別テーブル２１から国・地域に対応する緊急番号を読み出し（ステップＳＴ１１ｅ）、捕捉した回線により緊急番号を送出する（ステップＳＴ１１ｆ）。
【００４３】
以上のように上記第１の実施形態では、ＩＰ電話端末ＩＰＴ２にて市内・長距離・国際発信や緊急発信を行った場合に、ＩＰ電話主装置ＢＴは、予めＩＰＴ２と関連付けられた国・地域種別に基づいてサービスを実行する。このため、ＩＰ電話端末ＩＰＴ２のユーザは、所望する国・地域に見合ったサービスを利用することができる。
【００４４】
また、上記第１の実施形態では、ＩＰ電話端末ＩＰＴ２にて国・地域を跨る音声通信を行う場合に、ＩＰ電話主装置ＢＴにより最低料金のルートが選択されるので、ＩＰ電話端末ＩＰＴ２のユーザにとっては最低料金で最適なサービスを受けることができる。
【００４５】
（第２の実施形態）  
図１２は、この発明の第２の実施形態に係わるＩＰ電話システムの概略構成図である。なお、図１２において、上記図１と同一部分には同一符号を付して詳細な説明を省略する。  
ＩＰ電話システムでは、日本に１台のゲートウェイＧＷ１と電話端末ＧＷＴ１、ＩＰ電話端末ＩＰＴ１，ＩＰＴ４が接続されている。このゲートウェイＧＷ１やＩＰ電話端末ＩＰＴ１，ＩＰＴ４は所属国・地域種別が「日本」と登録されており、例えば通常の市内発信や長距離発信では、捕捉回線の選択先としてゲートウェイＧＷ１を選択して発信が行われる。
【００４６】
ここで、米国西部の本社から日本の支店に短期の出張者が来たとする。出張者は日本で仕事をしつつも、米国西部にある客先とコンタクトを継続しているものとする。この場合、出張者は日本の支社にある電話端末ＧＷＴ１を使って客先に発信することもできるが、本社で行っていたような客先の電話番号（市内発信）をダイヤルすると、日本にある電話端末ＧＷＴ１はゲートウェイＧＷ１をローカルゲートウェイ（公衆網発信時の回線捕捉先）とみなすため、日本国内の発信として扱われてしまう。
【００４７】
これを回避するため、ダイヤル前に発信ＧＷ番号を指定する（ＧＷ指定発信）、あるいは、国際発信（米国向け）でかけるという手段もあるが、利便性は損なわれる。そこで、新たにゲスト用のＩＰ電話端末ＩＰＴ４を登録（あるいは日本支社で使用中の端末を転用）して、これの所属国・地域種別を「米国西部」とする。このようにすると、ＩＰ電話端末ＩＰＴ４は、日本支社のＩＰネットワークＩＰＮに接続されてはいるものの、機能上は米国西部の本社のネットワークに接続されているＩＰ電話端末のように振舞うことなる。すなわち、ＬＣＤ表示言語は米語に、カレンダー時刻は米国西部時間に、所属ゲートウェイはゲートウェイＧＷ２となる。
【００４８】
以上のように上記第２の実施形態では、ＩＰ電話主装置ＢＴ２において、ＩＰ電話端末ＩＰＴ４の所属国・地域種別を「米国西部」に対応付けて管理することにより、ＩＰ電話端末ＩＰＴ４を利用すると、出張者は米国西部の客先に発信するのに、今までどおりの市内番号のみをダイヤルすればよいことになる。ＩＰ電話主装置ＢＴ２は発信端末の所属国・地域種別から市内発信時に捕捉する回線を該端末が所属するゲートウェイの中から選択する。また、ＬＣＤに表示されるカレンダー時刻が米国西部時間となるため、客先との時差を計算する必要がない（客先の時刻がそのままわかる）といったメリットもある。
【００４９】
（第３の実施形態）  
図１３は、この発明の第３の実施形態に係わるＩＰ電話システムの概略構成図である。なお、図１３において、上記図１と同一部分には同一符号を付して詳細な説明を省略する。  
このＩＰ電話システムでは、ＩＰネットワークＩＰＮに２つのＩＰ電話主装置ＢＴ１１，ＢＴ１２が接続されている。ＩＰ電話主装置ＢＴ１１，ＢＴ１２は専用線を用いて専用線接続され、両ＩＰ電話主装置をまたがったサービスが提供されている（ネットワーキングサービスと称する）。
【００５０】
ここで、英国拠点のＩＰ電話端末ＩＰＴ１から米国の公衆回線網ＩＮＷ２に接続された外部端末に対し発信を行ったとする。英国のＩＰ電話主装置ＢＴ１１は、米国内に公衆網ＩＮＷ２とのゲートウェイを持たないため、米国のＩＰ電話主装置ＢＴ１２経由で発信しようと試みる。従来であれば、ノード識別子をダイヤルした後、自動回線選択番号＋宛先番号をダイヤルする。
【００５１】
しかし、英国のＩＰ電話主装置ＢＴ１１に所属するＩＰ電話端末ＩＰＴ１は、米国のＩＰ電話主装置ＢＴ１２にはデータ登録されていないため、公衆回線ＩＮＷ２を捕捉するのに利用するＧＷ装置番号を特定できない。
【００５２】
そこで、ＩＰ電話主装置ＢＴ１１に対し、図１４に示すように、米国ノードを識別するノード識別子に米国ノードに所属するゲートウェイのうち、発信に使用したいＧＷが所属している国・地域種別を対応付けたテーブルを記憶しておく。
【００５３】
図１５は、ＩＰ電話端末ＩＰＴ１にてノード識別子がダイヤルされる際のＩＰ電話主装置ＢＴ１１の処理動作を示すフローチャートである。
【００５４】
ＩＰ電話端末ＩＰＴ１にて英国ノードで米国ノードのノード識別子がダイヤルされると（ステップＳＴ１５ａ）、ＩＰ電話主装置ＢＴ１１は米国ノードが宛先であることを決定し（ステップＳＴ１５ｂ）、宛先ノード識別子に対応する国・地域種別を読み出し（ステップＳＴ１５ｃ）、この国・地域種別を米国ノードのＩＰ電話主装置ＢＴ１２に通知し（ステップＳＴ１５ｄ）、ＩＰ電話端末ＩＰＴ１から受信したダイヤルを米国ノードのＩＰ電話主装置ＢＴ１２に通知する（ステップＳＴ１５ｅ及びステップＳＴ１５ｆ）。
【００５５】
その後、ＩＰ電話主装置ＢＴ１２では、自動回線選択番号により米国ノードで自動回線選択機能が起動されるが、この時、先に通知された国・地域種別をもとに番号分析が行われ、公衆網へ発信するための回線選択が行われる。
【００５６】
以上のように上記第３の実施形態では、ＩＰネットワークＩＰＮ上に２つのＩＰ電話主装置ＢＴ１１，ＢＴ１２を備え、これらＩＰ電話主装置ＢＴ１１，ＢＴ１２と属する国・地域とを対応付けることにより、各国・地域が１つのシステムを共用する場合に、各国・地域ごとに使用するＩＰ電話主装置ＢＴ１１，ＢＴ１２を特定することができ、１台のＩＰ電話主装置の処理負担を２台のＩＰ電話主装置ＢＴ１１，ＢＴ１２で分担させることができる。また、各ＩＰ電話端末ＩＰＴ１〜ＩＰＴ３で利用するサービス等も明確化することができる。
【００５７】
（その他の実施形態）  
なお、この発明は上記各実施形態に限定されるものではない。上記各実施形態では、国または地域を跨る通話を行う際に、国または地域に見合ったサービスを提供する例について説明した。しかしこれに限ることなく、通常、ＩＰ電話端末の時刻を日本から米国に合わせる場合に、ＩＰ電話主装置に問い合わせて米国の時刻に合わせるようにしてもよい。
【００５８】
その他、ＩＰ電話システムの構成、ＩＰ電話主装置の種類及び構成、国・地域ごとのサービス内容、サービス利用手順等についても、この発明の要旨を逸脱しない範囲で種々変形して実施できる。
【図面の簡単な説明】
【００５９】
【図１】この発明の第１の実施形態に係わるＩＰ電話システムの概略構成図。
【図２】図１に示したＩＰ電話主装置の機能構成を示すブロック図。
【図３】図２に示した国・地域種別テーブルの記憶内容の一例を示す図。
【図４】図２に示したＩＰ電話端末／国・地域対応テーブルの記憶内容の一例を示す図。
【図５】図２に示したゲートウェイ／国・地域対応テーブルの記憶内容の一例を示す図。
【図６】同第１の実施形態において、時刻更新を行う際のＩＰ電話主装置の処理動作を示すフローチャート。
【図７】同第１の実施形態において、各発信経路における接続動作を説明するためのシーケンス図。
【図８】同第１の実施形態において、ＩＰ電話端末にて自動経路選択コードに続いて市内発信操作を行う際のＩＰ電話主装置の処理動作を示すフローチャート。
【図９】同第１の実施形態において、ＩＰ電話端末にて自動経路選択コードに続いて長距離発信操作を行う際のＩＰ電話主装置の処理動作を示すフローチャート。
【図１０】同第１の実施形態において、ＩＰ電話端末にて自動経路選択コードに続いて国際発信操作を行う際のＩＰ電話主装置の処理動作を示すフローチャート。
【図１１】同第１の実施形態において、ＩＰ電話端末にて緊急発信操作を行う際のＩＰ電話主装置の処理動作を示すフローチャート。
【図１２】この発明の第２の実施形態に係わるＩＰ電話システムの概略構成図。
【図１３】この発明の第３の実施形態に係わるＩＰ電話システムの概略構成図。
【図１４】第３の実施形態において、米国ノードを識別するノード識別子に米国ノードに所属するゲートウェイのうち、発信に使用したいＧＷが所属している国・地域種別を対応付けたテーブルを示す図。
【図１５】第３の実施形態において、ＩＰ電話端末にてノード識別子がダイヤルされる際のＩＰ電話主装置の処理動作を示すフローチャート。
【符号の説明】
【００６０】
１１…情報受信部、１２…サービス判定部、１３…サービス実行部、２１…国・地域種別テーブル、２２…ＩＰ電話端末／国・地域対応テーブル、２３…ゲートウェイ／国・地域対応テーブル、ＩＰＴ１〜ＩＰＴ４…ＩＰ電話端末、ＢＴ，ＢＴ２，ＢＴ１１，ＢＴ１２…ＩＰ電話主装置、ＩＰＮ…ＩＰネットワーク、ＧＷ１〜ＧＷ３…ゲートウェイ、ＧＷＴ１〜ＧＷＴ３…電話端末、ＩＮＷ１，ＩＮＷ２…公衆網。
【図１】
2005167424.tif 000003
【図２】
2005167424.tif 000004
【図３】
2005167424.tif 000005
【図４】
2005167424.tif 000006
【図５】
2005167424.tif 000007
【図６】
2005167424.tif 000008
【図７】
2005167424.tif 000009
【図８】
2005167424.tif 000010
【図９】
2005167424.tif 000011
【図１０】
2005167424.tif 000012
【図１１】
2005167424.tif 000013
【図１２】
2005167424.tif 000014
【図１３】
2005167424.tif 000015
【図１４】
2005167424.tif 000016
【図１５】
2005167424.tif 000017